(57)【要約】【課題】待機状態における消費電力が抑制される昇圧回路内蔵電池を安価に提供すること。【解決手段】昇圧回路内蔵電池１は、電子機器３に接続された機器側スナップ２に嵌合されることにより電子機器３に電力を供給する昇圧回路内蔵電池１であって、蓄電部１５と、パワーオフ端子ＴＰを含み、パワーオフ端子ＴＰにローレベル電圧が入力された場合に蓄電部１５の電圧を昇圧する昇圧回路１６と、昇圧回路１６の電圧を機器側スナップ２に出力するスナップ端子１２と、を備え、スナップ端子１２は、正極端子を構成する正極スナップ１３と、互いに離間した負極端子１４Ａ及び接続監視端子１４Ｂを構成する負極スナップ１４とを含み、接続監視端子１４Ｂは、パワーオフ端子ＴＰに接続され、スナップ端子１２が機器側スナップ２に接続された場合に、パワーオフ端子ＴＰの電圧を負極端子１４Ａのローレベル電圧に引き下げる。【選択図】図２
2020043652.tif 000002
【特許請求の範囲】
【請求項１】
電子機器に接続された機器側スナップに嵌合されることにより前記電子機器に電力を供給する昇圧回路内蔵電池であって、
蓄電部と、
パワーオフ端子を含み、前記パワーオフ端子にローレベル電圧が入力された場合に前記蓄電部の電圧を昇圧する昇圧回路と、
前記昇圧回路の電圧を前記機器側スナップに出力するスナップ端子と、を備え、
前記スナップ端子は、正極端子を構成する正極スナップと、互いに離間した負極端子及び接続監視端子を構成する負極スナップとを含み、
前記接続監視端子は、前記パワーオフ端子に接続され、前記スナップ端子が前記機器側スナップに接続された場合に、前記パワーオフ端子の電圧を前記負極端子のローレベル電圧に引き下げる、昇圧回路内蔵電池。
【請求項２】
前記接続監視端子は、前記負極スナップにおいて前記負極端子と前記正極スナップとの間に配置され、開放電圧が前記正極スナップの電圧と共通に設定されている、請求項１に記載の昇圧回路内蔵電池。
【請求項３】
電子機器に接続された機器側スナップに嵌合されることにより前記電子機器に電力を供給する昇圧回路内蔵電池であって、
蓄電部と、
パワーオフ端子を含み、前記パワーオフ端子にハイレベル電圧が入力された場合に前記蓄電部の電圧を昇圧する昇圧回路と、
前記昇圧回路の電圧を前記機器側スナップに出力するスナップ端子と、を備え、
前記スナップ端子は、負極端子を構成する負極スナップと、互いに離間した正極端子及び接続監視端子を構成する正極スナップとを含み、
前記接続監視端子は、前記パワーオフ端子に接続され、前記スナップ端子が前記機器側スナップに接続された場合に、前記パワーオフ端子の電圧を前記正極端子のハイレベル電圧に引き上げる、昇圧回路内蔵電池。
【請求項４】
前記接続監視端子は、前記正極スナップにおいて前記正極端子と前記負極スナップとの間に配置され、開放電圧が前記負極スナップの電圧と共通に設定されている、請求項３に記載の昇圧回路内蔵電池。
【請求項５】
前記パワーオフ端子は、抵抗素子を介して前記接続監視端子に接続され、整流素子を介して前記昇圧回路の入力端子に接続されている、請求項３又は４に記載の昇圧回路内蔵電池。
【発明の詳細な説明】
【技術分野】
【０００１】
本発明は、昇圧回路内蔵電池に関する。
【背景技術】
【０００２】
電池における規格の１つとして、９Ｖタイプの角型電池が知られている。当該角型電池は、所望の電圧を出力することができるよう、直列に接続された複数の円筒形電池や、積層された複数の扁平状単電池を外装缶に収容することにより構成されていることが多い。例えば、特許文献１には、３Ｖの円筒状リチウム電池を３個直列に接続することにより、９Ｖの出力電圧をスナップ端子から出力することができる電池が開示されている。
【先行技術文献】
【特許文献】
【０００３】
【特許文献１】特開２０１１−２３８４８７号公報
【発明の概要】
【発明が解決しようとする課題】
【０００４】
ところで、上記のような所望の電圧を出力する電池として、昇圧回路内蔵電池が考えられる。より具体的には、昇圧回路内蔵電池は、単電池と昇圧回路を外装缶に収容することにより、例えば、１．５Ｖの単電池を昇圧回路で９Ｖに昇圧してスナップ端子から出力するよう構成することができる。
【０００５】
しかしながら、このような昇圧回路内蔵電池では、電力を供給する電子機器等に接続されていない待機状態においてもスナップ端子に９Ｖの電圧を出力し続けることになり、昇圧回路の昇圧動作に伴う電力損失が発生してしまう。また、昇圧回路内蔵電池は、電力損失を抑制するために、例えば電子機器との接続を検知するための回路と、電子機器の未接続時に単電池から昇圧回路への電力供給を遮断する回路とを付加した場合には、外装缶の内部の空間が圧迫される他、電池自体のコストが上昇してしまう虞が生じる。
【０００６】
本発明は、このような状況に鑑みてなされたものであり、その目的とするところは、待機状態における消費電力が抑制される昇圧回路内蔵電池を安価に提供することにある。
【課題を解決するための手段】
【０００７】
＜本発明の第１の態様＞
本発明の第１の態様は、電子機器に接続された機器側スナップに嵌合されることにより前記電子機器に電力を供給する昇圧回路内蔵電池であって、蓄電部と、パワーオフ端子を含み、前記パワーオフ端子にローレベル電圧が入力された場合に前記蓄電部の電圧を昇圧する昇圧回路と、前記昇圧回路の電圧を前記機器側スナップに出力するスナップ端子と、を備え、前記スナップ端子は、正極端子を構成する正極スナップと、互いに離間した負極端子及び接続監視端子を構成する負極スナップとを含み、前記接続監視端子は、前記パワーオフ端子に接続され、前記スナップ端子が前記機器側スナップに接続された場合に、前記パワーオフ端子の電圧を前記負極端子のローレベル電圧に引き下げる、昇圧回路内蔵電池である。
【０００８】
昇圧回路内蔵電池は、蓄電部及び昇圧回路を内蔵し、蓄電部の電圧を昇圧回路により昇圧して所望の電圧をスナップ端子から出力する。ここで、スナップ端子は、互いに離間した負極端子及び接続監視端子により負極スナップが形成され、接続監視端子が昇圧回路のパワーオフ端子に接続されている。そして、昇圧回路内蔵電池は、スナップ端子が機器側スナップに接続された場合に、蓄電部の負極側の端子に接続された負極端子が機器側スナップを介して接続監視端子と導通することにより、パワーオフ端子の電圧が負極端子のローレベル電圧に引き下げられて昇圧回路に昇圧動作を開始させる。
【０００９】
これにより本発明の第１の態様によれば、昇圧回路内蔵電池は、スナップ端子が機器側スナップに接続された場合に昇圧回路が昇圧動作を行い、スナップ端子が機器側スナップに接続されていない状態においては、昇圧回路が昇圧動作を停止する。また、昇圧回路内蔵電池は、当該動作を実現するために他の回路構成を追加する必要がないため、電池自体のコストを抑制することができる。従って、本発明の第１の態様によれば、待機状態における消費電力が抑制される昇圧回路内蔵電池を安価に提供することができる。
【００１０】
＜本発明の第２の態様＞
本発明の第２の態様は、上記した本発明の第１の態様において、前記接続監視端子は、前記負極スナップにおいて前記負極端子と前記正極スナップとの間に配置され、開放電圧が前記正極スナップの電圧と共通に設定されている、昇圧回路内蔵電池である。
【００１１】
本発明の第２の態様によれば、負極スナップは、正極スナップに近い側に配置された接続監視端子と、正極スナップから遠い側に配置された負極端子により構成されている。また、接続監視端子の開放電圧は、正極スナップの端子電圧と共通となるように設定されている。これにより、本発明の第２の態様に係る昇圧回路内蔵電池は、スナップ端子が機器側スナップに接続されていない状態において、例えば正極スナップと接続監視端子との間に跨るように誤って導電性の物体が接触したとしても、正極スナップと負極スナップとが短絡する虞を低減することができる。
【００１２】
＜本発明の第３の態様＞
本発明の第３の態様は、電子機器に接続された機器側スナップに嵌合されることにより前記電子機器に電力を供給する昇圧回路内蔵電池であって、蓄電部と、パワーオフ端子を含み、前記パワーオフ端子にハイレベル電圧が入力された場合に前記蓄電部の電圧を昇圧する昇圧回路と、前記昇圧回路の電圧を前記機器側スナップに出力するスナップ端子と、を備え、前記スナップ端子は、負極端子を構成する負極スナップと、互いに離間した正極端子及び接続監視端子を構成する正極スナップとを含み、前記接続監視端子は、前記パワーオフ端子に接続され、前記スナップ端子が前記機器側スナップに接続された場合に、前記パワーオフ端子の電圧を前記正極端子のハイレベル電圧に引き上げる、昇圧回路内蔵電池である。
【００１３】
昇圧回路内蔵電池は、蓄電部及び昇圧回路を内蔵し、蓄電部の電圧を昇圧回路により昇圧して所望の電圧をスナップ端子から出力する。ここで、スナップ端子は、互いに離間した正極端子及び接続監視端子により正極スナップが形成され、接続監視端子が昇圧回路のパワーオフ端子に接続されている。そして、昇圧回路内蔵電池は、スナップ端子が機器側スナップに接続された場合に、正極端子が機器側スナップ及び接続監視端子を介してパワーオフ端子と導通することにより、当該パワーオフ端子の電圧が正極端子のハイレベル電圧に引き上げられて昇圧回路に昇圧動作を開始させる。
【００１４】
これにより本発明の第３の態様によれば、昇圧回路内蔵電池は、スナップ端子が機器側スナップに接続された場合に昇圧回路が昇圧動作を行い、スナップ端子が機器側スナップに接続されていない状態においては、昇圧回路が昇圧動作を停止する。また、昇圧回路内蔵電池は、当該動作を実現するために他の回路構成を追加する必要がないため、電池自体のコストを抑制することができる。従って、本発明の第３の態様によれば、待機状態における消費電力が抑制される昇圧回路内蔵電池を安価に提供することができる。
【００１５】
＜本発明の第４の態様＞
本発明の第４の態様は、上記した本発明の第３の態様において、前記接続監視端子は、前記正極スナップにおいて前記正極端子と前記負極スナップとの間に配置され、開放電圧が前記負極スナップの電圧と共通に設定されている、昇圧回路内蔵電池である。
【００１６】
本発明の第４の態様によれば、正極スナップは、負極スナップに近い側に配置された接続監視端子と、負極スナップから遠い側に配置された正極端子により構成されている。また、接続監視端子の開放電圧は、負極スナップの端子電圧と共通となるように設定されている。これにより、本発明の第４の態様に係る昇圧回路内蔵電池は、スナップ端子が機器側スナップに接続されていない状態において、例えば負極スナップと接続監視端子との間に跨るように誤って導電性の物体が接触したとしても、正極スナップと負極スナップとが短絡する虞を低減することができる。
【００１７】
＜本発明の第５の態様＞
本発明の第５の態様は、上記した本発明の第３又は４の態様において、前記パワーオフ端子は、抵抗素子を介して前記接続監視端子に接続され、整流素子を介して前記昇圧回路の入力端子に接続されている、昇圧回路内蔵電池である。
【００１８】
本発明の第５の態様によれば、昇圧回路内蔵電池は、接続監視端子と昇圧回路のパワーオフ端子との間に抵抗素子が介在することにより、接続監視端子にハイレベル電圧が入力された場合であっても、昇圧回路のパワーオフ端子に入力される電流を制限することができる。また、昇圧回路内蔵電池は、昇圧回路のパワーオフ端子と入力端子の間に整流素子が介在することにより、接続監視端子にハイレベル電圧が入力された場合であっても、昇圧回路のパワーオフ端子に入力される電圧を制限することができる。これにより、本発明の第５の態様によれば、接続監視端子を正極スナップ側に設ける場合に、昇圧回路のパワーオフ端子に入力される電流及び電圧に制限があったとしても、当該制限を超過することなく、待機状態における消費電力を抑制することができる。
【発明の効果】
【００１９】
本発明によれば、待機状態における消費電力が抑制される昇圧回路内蔵電池を安価に提供することができる。
【図面の簡単な説明】
【００２０】
【図１】本発明の第１実施形態に係る昇圧回路内蔵電池の外観を示す斜視図である。
【図２】本発明の第１実施形態に係る昇圧回路内蔵電池の回路図である。
【図３】本発明の第２実施形態に係るスナップ端子を示す平面図である。
【図４】本発明の第３実施形態に係るスナップ端子を示す平面図である。
【図５】本発明の第３実施形態に係る昇圧回路内蔵電池の回路図である。
【発明を実施するための形態】
【００２１】
以下、図面を参照し、本発明の実施の形態について詳細に説明する。なお、本発明は以下に説明する内容に限定されるものではなく、その要旨を変更しない範囲において任意に変更して実施することが可能である。また、実施の形態の説明に用いる図面は、いずれも構成部材を模式的に示すものであって、理解を深めるべく部分的な強調、拡大、縮小、または省略などを行っており、構成部材の縮尺や形状等を正確に表すものとはなっていない場合がある。
【００２２】
＜第１実施形態＞
図１は、本発明の第１実施形態に係る昇圧回路内蔵電池１の外観を示す斜視図である。また、図２は、本発明の第１実施形態に係る昇圧回路内蔵電池１の回路図である。本実施形態における昇圧回路内蔵電池１は、いわゆる９Ｖタイプの角型電池であり、電子機器３に接続された機器側スナップ２に嵌合されることにより、電子機器３に電力を供給する。
【００２３】
昇圧回路内蔵電池１は、外装缶１０、絶縁板１１、スナップ端子１２、蓄電部１５、及び昇圧回路１６を備える。昇圧回路内蔵電池１は、外装缶１０の内部に蓄電部１５及び昇圧回路１６を収容し、外装缶１０の開口部が絶縁板１１により封止されると共に、蓄電部１５及び昇圧回路１６に接続されたスナップ端子１２が絶縁板１１から突出するように形成されている。
【００２４】
スナップ端子１２は、正極スナップ１３及び負極スナップ１４からなり、それぞれが機器側スナップ２の正極スナップ端子２１及び負極スナップ端子２２に嵌合されることにより、機器側スナップ２に対して物理的かつ電気的に接続される。
【００２５】
ここで、正極スナップ１３は、平面視した場合に一続きの円環状に形成された正極端子を構成している。また、本実施形態における負極スナップ１４は、互いに離間して形成された負極端子１４Ａと接続監視端子１４Ｂとを含み、負極端子１４Ａ及び接続監視端子１４Ｂにはそれぞれ切欠きが形成されている。負極スナップ１４は、従来の機器側スナップ２をそのまま嵌合できる規格通りの端子寸法でありながら、負極端子１４Ａと接続監視端子１４Ｂとが互いに導通しない状態で形成されている。これらの機能については詳細を後述する。
【００２６】
昇圧回路内蔵電池１は、図２に示すように、蓄電部１５から出力される電圧を昇圧回路１６で昇圧することにより、正極スナップ１３と負極スナップ１４との間に所望の電圧、すなわち、ここでは９Ｖの電圧を出力することができる。
【００２７】
より詳しくは、蓄電部１５は、本実施形態においては、１．５Ｖの電圧を出力することができるニッケル水素二次電池であり、負極側の端子が負極スナップ１４における負極端子１４Ａに接続されている。
【００２８】
また、昇圧回路１６は、入力端子ＴＩＮ、出力端子ＴＯＵＴ、及びパワーオフ端子ＴＰを備える昇圧型ＤＣ−ＤＣコンバータである。本実施形態における昇圧回路１６は、入力端子ＴＩＮが蓄電部１５の正極側の端子と接続され、出力端子ＴＯＵＴが正極スナップ１３に接続されると共に、パワーオフ端子ＴＰが接続監視端子１４Ｂに接続されている。尚、昇圧回路１６は、例えばエイブリック社製Ｓ−８３６６を用いた昇圧スイッチングレギュレータにより構成することができる。
【００２９】
ここで、昇圧回路１６は、パワーオフ端子ＴＰの電圧により昇圧動作のＯＮ／ＯＦＦが切り替えられる。より具体的には、昇圧回路１６は、パワーオフ端子ＴＰの開放電圧が蓄電部１５の出力電圧としてのハイレベル電圧に設定されており、接続監視端子１４Ｂが開放状態である場合には昇圧動作を停止する。尚、昇圧回路１６は、昇圧動作の停止中においては、入力端子ＴＩＮからの入力電圧をそのまま出力端子ＴＯＵＴに出力している。
【００３０】
そして、昇圧回路１６は、接続監視端子１４Ｂを介して、ローレベル電圧がパワーオフ端子ＴＰに入力された場合には昇圧動作を行い、入力端子ＴＩＮからの入力電圧を昇圧して出力端子ＴＯＵＴに出力する。このため、昇圧回路内蔵電池１は、スナップ端子１２が機器側スナップ２に嵌合された場合に、パワーオフ端子ＴＰが接続監視端子１４Ｂ、機器側スナップ２の負極スナップ端子２２、及び負極端子１４Ａを介して蓄電部１５の負極側と導通し、パワーオフ端子ＴＰの電圧が蓄電部１５の負極側の電圧であるローレベル電圧に引き下げられることで、蓄電部１５から入力される１．５Ｖの電圧を９Ｖに昇圧してスナップ端子１２から出力することができる。
【００３１】
また、昇圧回路内蔵電池１は、スナップ端子１２が機器側スナップ２から取り外された場合には、接続監視端子１４Ｂが開放状態に戻ることによりパワーオフ端子ＴＰも開放電圧に戻り、昇圧回路１６が昇圧動作を停止する。
【００３２】
上記のような構成により、本実施形態に係る昇圧回路内蔵電池１は、スナップ端子１２が機器側スナップ２に嵌合された場合に昇圧動作を行い、スナップ端子１２の開放状態においては昇圧動作を停止するため、待機状態における消費電力を抑制することができる。より具体的には、昇圧回路１６は、常時昇圧動作を行う構成である場合には、昇圧動作に伴い蓄電部１５から１００μＡ〜１０００μＡ程度の電流が常時流れることにより比較的大きな消費電力が発生するが、本発明に係る構成では、当該電流が１μＡ以下になる。
【００３３】
また、本実施形態に係る昇圧回路内蔵電池１は、例えば電子機器３との接続を検知するための回路や、例えば電子機器３の未接続時に蓄電部１５から昇圧回路１６への電力供給を遮断する回路のような付加構成が不要であるため、外装缶１０の内部の空間が圧迫されず、電池自体のコストも抑制することができる。
【００３４】
さらに、本実施形態に係る昇圧回路内蔵電池１は、スナップ端子１２が規格の範囲内の端子寸法で形成されていることから、機器側スナップ２の形状を昇圧回路内蔵電池１に合わせて変更する必要はなく、従来の機器側スナップ２をそのまま使用することができる。
【００３５】
＜第２実施形態＞
続いて、本発明の第２実施形態に係る昇圧回路内蔵電池４について説明する。第２実施形態に係る昇圧回路内蔵電池４は、上記した第１実施形態の昇圧回路内蔵電池１における負極端子１４Ａ及び接続監視端子１４Ｂの配置が第１実施形態と異なる。以下、第１実施形態と異なる部分について説明することとし、第１実施形態と共通する構成要素については、同じ符号を付して詳細な説明を省略する。
【００３６】
図３は、本発明の第２実施形態に係るスナップ端子１２を示す平面図である。より詳しくは、図３は、第２実施形態に係る昇圧回路内蔵電池４を絶縁板１１側から見た場合の平面図である。
【００３７】
本実施形態における昇圧回路内蔵電池４の負極スナップ１４は、絶縁板１１の長手方向に対して互いに離間して形成された接続監視端子１４Ｃと負極端子１４Ｄとを含む。そして、負極スナップ１４は、接続監視端子１４Ｃが負極端子１４Ｄと正極スナップ１３との間に配置されている。すなわち、負極スナップ１４は、接続監視端子１４Ｃが正極スナップ１３に近い側に配置され、負極端子１４Ｄが正極スナップ１３から遠い側に配置されている。
【００３８】
ここで、接続監視端子１４Ｃの開放電圧は、上記した第１実施形態と同様に、正極スナップ１３の端子電圧と共通となるように蓄電部１５の出力電圧として設定されている。これにより、本発明の第２実施形態に係る昇圧回路内蔵電池４は、スナップ端子１２が機器側スナップ２に接続されていない状態において、例えば正極スナップ１３と接続監視端子１４Ｃとの間に跨るように誤って導電性の物体が接触したとしても、正極スナップ１３と負極スナップ１４とが短絡する虞を低減することができる。
【００３９】
＜第３実施形態＞
続いて、本発明の第３実施形態に係る昇圧回路内蔵電池５について説明する。第３実施形態に係る昇圧回路内蔵電池５は、上記した第１実施形態の昇圧回路内蔵電池１における接続監視端子１４Ｂが正極スナップ１３側に形成されている点、及び内部の回路構成が第１実施形態と異なる。以下、第１実施形態と異なる部分について説明することとし、第１実施形態と共通する構成要素については、同じ符号を付して詳細な説明を省略する。
【００４０】
図４は、本発明の第３実施形態に係るスナップ端子１２を示す平面図である。より詳しくは、図４は、第３実施形態に係る昇圧回路内蔵電池５を絶縁板１１側から見た場合の平面図である。
【００４１】
本実施形態のスナップ端子１２は、正極スナップ５０及び負極スナップ５１からなり、それぞれが機器側スナップ２の正極スナップ端子２１及び負極スナップ端子２２に嵌合されることにより、機器側スナップ２に対して物理的かつ電気的に接続される。
【００４２】
ここで、正極スナップ５０は、絶縁板１１の長手方向に対して互いに離間して形成された正極端子５０Ａと接続監視端子５０Ｂとを含む。正極スナップ５０は、従来の機器側スナップ２をそのまま嵌合できる規格通りの端子寸法でありながら、正極端子５０Ａと接続監視端子５０Ｂとが互いに導通しない状態で形成されている。また、負極スナップ５１は、平面視した場合に四方に切欠きを含む一続きの円環状に形成された負極端子を構成している。
【００４３】
図５は、本発明の第３実施形態に係る昇圧回路内蔵電池５の回路図である。第３実施形態に係る昇圧回路内蔵電池５は、上記した第１実施形態に係る昇圧回路内蔵電池１と同様に、１．５Ｖの電圧を出力することができるニッケル水素二次電池からなる蓄電部１５と、パワーオフ端子ＴＰの電圧により昇圧動作のＯＮ／ＯＦＦが切り替えられる昇圧回路１６とを備える。また、第３実施形態に係る昇圧回路内蔵電池５は、「抵抗素子」としての抵抗器Ｒ、及び「整流素子」としてのショットキバリアダイオードＳＢＤを含む。
【００４４】
ここで、抵抗器Ｒは、昇圧回路１６のパワーオフ端子ＴＰに入力される電流を制限するために設けられる。また、ショットキバリアダイオードＳＢＤは、昇圧回路１６のパワーオフ端子ＴＰに入力される電圧に制限がある場合に、制限電圧を超過しないように設けられる。より具体的には、例えばパワーオフ端子ＴＰの制限電圧が入力端子ＴＩＮに入力される電圧ＶＩＮに対して（ＶＩＮ＋０．３Ｖ）と設定されている場合には、順方向電圧ＶＦを０．３Ｖ以下の値に設定することにより、上記の制限電圧に係る条件を満たすことができる。尚、本実施形態においては、順方向電圧ＶＦが０．３ＶであるショットキバリアダイオードＳＢＤが採用されていることとする。
【００４５】
蓄電部１５は、負極側の端子が負極スナップ５１に接続され、正極側の端子が昇圧回路１６の入力端子ＴＩＮに接続されている。また、昇圧回路１６は、出力端子ＴＯＵＴが正極端子５０Ａに接続され、パワーオフ端子ＴＰが抵抗器Ｒを介して接続監視端子５０Ｂに接続されている。さらに、ショットキバリアダイオードＳＢＤは、昇圧回路１６に対して、アノードがパワーオフ端子ＴＰに接続され、カソードが入力端子ＴＩＮに接続されている。
【００４６】
ここで、本実施形態における昇圧回路１６は、パワーオフ端子ＴＰの開放電圧がローレベル電圧、すなわち開放状態における負極スナップ５１の電圧と共通の０Ｖに設定されており、接続監視端子５０Ｂが開放状態である場合には昇圧動作を停止する。尚、昇圧回路１６は、昇圧動作の停止中においては、入力端子ＴＩＮからの入力電圧をそのまま出力端子ＴＯＵＴに出力している。
【００４７】
そして、昇圧回路１６は、接続監視端子５０Ｂ及び抵抗器Ｒを介して、ハイレベル電圧がパワーオフ端子ＴＰに入力された場合には昇圧動作を行い、入力端子ＴＩＮからの入力電圧を昇圧して出力端子ＴＯＵＴに出力する。このため、昇圧回路内蔵電池５は、スナップ端子１２が機器側スナップ２に嵌合された場合に、正極端子５０Ａが機器側スナップ２の正極スナップ端子２１、接続監視端子５０Ｂ、及び抵抗器Ｒを介してパワーオフ端子ＴＰと導通し、パワーオフ端子ＴＰの電圧が正極端子５０Ａの電圧であるハイレベル電圧に引き上げられることで、スナップ端子１２から所望の電圧を出力することができる。
【００４８】
より具体的には、昇圧回路内蔵電池５は、スナップ端子１２が機器側スナップ２に嵌合される前の状態においては、接続監視端子５０Ｂの電圧が開放状態の０Ｖであり、正極端子５０Ａの電圧が蓄電部１５の出力電圧と同じ１．５Ｖである。また、昇圧回路内蔵電池５は、スナップ端子１２が機器側スナップ２に嵌合された直後の過渡状態においては、互いに導通した正極端子５０Ａ及び接続監視端子５０Ｂの電圧が、いずれも１．５Ｖ−０．３Ｖ＝１．２Ｖとなり、パワーオフ端子ＴＰにハイレベル電圧が入力されることで昇圧回路１６の昇圧動作が開始される。
【００４９】
そして、昇圧動作が開始されると、昇圧回路１６は、出力端子ＴＯＵＴから正極端子５０Ａへ９Ｖの電圧を出力して安定状態となる。このとき、昇圧回路１６のパワーオフ端子ＴＰに接続されている接続監視端子５０Ｂは、ショットキバリアダイオードＳＢＤの電圧降下の影響により、端子電圧が１．５Ｖ＋０．３Ｖ＝１．８Ｖの状態で保持されている。また、昇圧回路内蔵電池５は、スナップ端子１２が機器側スナップ２から取り外された場合には、接続監視端子５０Ｂが開放状態に戻ることによりパワーオフ端子ＴＰも蓄電部１５の出力電圧と同じ１．５Ｖの開放電圧に戻り、昇圧回路１６が昇圧動作を停止する。
【００５０】
以上のように、本実施形態に係る昇圧回路内蔵電池５は、スナップ端子１２が機器側スナップ２に嵌合された場合に昇圧動作を行い、スナップ端子１２の開放状態においては昇圧動作を停止するため、待機状態における消費電力を抑制することができる。特に、本実施形態に係る昇圧回路内蔵電池５によれば、接続監視端子５０Ｂを正極スナップ５０側に設ける場合に、昇圧回路１６のパワーオフ端子ＴＰに入力される電圧に制限があったとしても、当該制限を超過することなく消費電力を抑制することができる。
【００５１】
また、本実施形態に係る昇圧回路内蔵電池５は、上記の第１実施形態に係る昇圧回路内蔵電池１に対して、構成部材としては２つの素子を追加するだけで接続監視端子５０Ｂを正極スナップ５０側に設ける形態に変更することができる。このため、本実施形態に係る昇圧回路内蔵電池５は、例えば電子機器３との接続を検知するための回路や、例えば電子機器３の未接続時に蓄電部１５から昇圧回路１６への電力供給を遮断する回路のような付加構成を要する態様と比較して、外装缶１０の内部の空間が圧迫されず、電池自体のコストも抑制することができる。
【００５２】
さらに、本実施形態に係る昇圧回路内蔵電池５は、スナップ端子１２が規格の範囲内の端子寸法で形成されていることから、機器側スナップ２の形状を昇圧回路内蔵電池５に合わせて変更する必要はなく、従来の機器側スナップ２をそのまま使用することができる。
【００５３】
以上で実施形態の説明を終えるが、本発明は上記した各実施形態に限定されるものではない。例えば、上記の第１実施形態では、負極スナップ１４が負極端子１４Ａ及び接続監視端子１４Ｂを１つずつ備える態様を例示したが、各端子がさらに複数に分離されていてもよい。また、実施形態で例示した電圧などのパラメータは、種々の変更が可能である。
【符号の説明】
【００５４】
１、４、５  昇圧回路内蔵電池
２  機器側スナップ
３  電子機器
１０  外装缶
１１  絶縁板
１２  スナップ端子
１３、５０  正極スナップ
１４、５１  負極スナップ
１４Ａ、１４Ｄ  負極端子
１４Ｂ、１４Ｃ、５０Ｂ  接続監視端子
１５  蓄電部
１６  昇圧回路
５０Ａ  正極端子
ＴＩＮ  入力端子
ＴＯＵＴ  出力端子
ＴＰ  パワーオフ端子
Ｒ  抵抗器
ＳＢＤ  ショットキバリアダイオード
【図１】
2020043652.tif 000003
【図２】
2020043652.tif 000004
【図３】
2020043652.tif 000005
【図４】
2020043652.tif 000006
【図５】
2020043652.tif 000007